(57)【要約】【課題】  在宅医療を欲している患者のニーズを満たしつつ、潜在看護師の労働意欲も満たすことが可能な訪問看護システム及び訪問看護方法を提供する。【解決手段】  訪問看護システムであって、前記訪問看護システムは、業務支援ステーションが有する業務支援システムを含み、前記業務支援システムは、記憶手段及びマッチング手段を有し、前記記憶手段及び前記マッチング手段はサーバに備えられ、前記記憶手段は、潜在看護師が希望する看護条件と、訪問看護ステーションに管理される、在宅患者への医療内容とを記憶し、前記マッチング手段は、前記看護条件と前記医療内容とをマッチングする。【選択図】図１
2018045668.tif 000002
【特許請求の範囲】
【請求項１】
訪問看護システムであって、
前記訪問看護システムは、業務支援ステーションが有する業務支援システムを含み、
前記業務支援システムは、記憶手段及びマッチング手段を有し、
前記記憶手段及び前記マッチング手段は、サーバに備えられ、
前記記憶手段は、
潜在看護師が希望する看護条件と、
訪問看護ステーションに管理される、在宅患者への医療内容と、
を記憶し、
前記マッチング手段は、前記看護条件と前記医療内容とをマッチングする、
訪問看護システム。
【請求項２】
前記サーバは、前記看護条件と前記医療内容とのマッチングに係る報酬を、前記業務支援ステーションに通知する報酬通知手段を備える、請求項１に記載の訪問看護システム。
【請求項３】
前記マッチングに係る報酬は、前記マッチング手段によるマッチング報酬を含む、請求項１または２に記載の訪問看護システム。
【請求項４】
前記サーバは、看護報酬を前記潜在看護師に通知する看護報酬通知手段をさらに備え、
前記看護報酬は、前記マッチング手段によりマッチングした前記在宅患者を前記潜在看護師が看護した報酬であり、且つ前記訪問看護ステーションにより管理される、請求項１から３の何れか一項に記載の訪問看護システム。
【請求項５】
前記サーバは、前記潜在看護師を前記訪問看護ステーションに紹介する紹介手段をさらに備え、
前記マッチングに係る報酬は、前記紹介手段による紹介報酬をさらに含む、
請求項１から４の何れか一項に記載の訪問看護システム。
【請求項６】
前記看護条件は、前記潜在看護師が勤務する就業時間を含む、請求項１から５の何れか一項に記載の訪問看護システム。
【請求項７】
前記潜在看護師は、前記看護条件を入力するための端末を有し、
前記マッチング手段によるマッチング結果は、前記サーバから通信回線を経由して前記端末へ送信される、請求項１から６の何れか一項に記載の訪問看護システム。
【請求項８】
前記看護条件は、前記端末から通信回線を経由して前記サーバへ送信され、前記記憶手段により前記サーバに記憶される、請求項１から７の何れか一項に記載の訪問看護システム。
【請求項９】
前記潜在看護師は、前記看護条件を入力するための端末を有し、
前記医療内容は、前記端末へ送信され、
前記医療内容と前記看護条件がマッチングした場合、その旨が前記端末から通信回線を経由して前記サーバへ送信される、請求項１から６の何れか一項に記載の訪問看護システム。
【請求項１０】
業務支援ステーションが有する業務支援システムが有する記憶手段に、
潜在看護師が希望する看護条件と、
訪問看護ステーションに管理される、在宅患者への医療内容と、
を記憶するステップと、
前記業務支援システムが有するマッチング手段が、前記記憶手段に記憶された前記看護条件と前記医療内容とをマッチングするステップと、
を備える、訪問看護方法。
【請求項１１】
報酬通知手段が、前記看護条件と前記医療内容とのマッチングに係る報酬を、前記業務支援ステーションに通知するステップをさらに備える、請求項１０に記載の訪問看護方法。
【発明の詳細な説明】
【技術分野】
【０００１】  この発明は、訪問看護システム及び訪問看護方法に関する。
【背景技術】
【０００２】  近年、高齢化社会の進展に伴い、高齢患者が医療機関を訪問するのではなく、看護師が高齢患者の自宅を訪問して看護する訪問看護のニーズが高まっている。高齢患者の診療内容及び高齢患者が看護師の訪問を希望する時間帯は、患者によりさまざまであるため、このような診療内容及び時間帯と、看護師が訪問看護可能な診療内容及び時間帯をマッチングし、高齢患者の診療内容及び高齢患者が看護師に訪問してほしい時間帯にマッチングする看護師が、高齢患者の自宅を訪問し、看護を行うことが多くなってきている。【０００３】  特許文献１には、常勤の看護師の勤務条件と、患者の希望する看護条件とをニューラルネットワークによりマッチングする技術が開示されている。
【先行技術文献】
【特許文献１】特開平１０−１４３５６５
【発明の概要】
【発明が解決しようとする課題】
【０００４】  訪問看護を行う看護師は、これまでは特許文献１に記載の通り、常勤の看護師であった。常勤で勤務する看護師の場合、例えば午前９時から午後５時までの勤務等、フルタイムで勤務することが求められる。このため、例えば育児中等で一時的に常勤から離れている看護師は、たとえ勤務する意欲を持っていても、例えば午後２時から午後５時までの３時間のみ勤務する、といった柔軟な勤務の仕方ができなかった。このような、勤務する意欲を持っていながらも長時間労働ができないために勤務が出来ない看護師（以下、「潜在看護師」という）は、全国に７１万人存在すると言われる。【０００５】  一方で、高齢化社会が進展していることもあり、在宅医療を欲している患者の数は年々増加している。そのような患者の数に比べ、訪問看護師が不足しているという現状がある。【０００６】  従って、前記のような潜在看護師が訪問看護の現場で働くことができれば、在宅医療を欲している患者のニーズに応えることができ、かつ、潜在看護師の労働意欲も満たすことができるものとなる。【０００７】  上記の通り、本発明は、在宅医療を欲している患者のニーズを満たしつつ、潜在看護師の労働意欲も満たすことが可能な訪問看護システム及び訪問看護方法を提供することを課題とする。
【課題を解決するための手段】
【０００８】  前記課題を解決するため、本発明によれば、訪問看護システムであって、前記訪問看護システムは、業務支援ステーションが有する業務支援システムを含み、前記業務支援システムは、記憶手段及びマッチング手段を有し、前記記憶手段及び前記マッチング手段はサーバに備えられ、前記記憶手段は、潜在看護師が希望する看護条件と、訪問看護ステーションに管理される、在宅患者への医療内容とを記憶し、前記マッチング手段は、前記看護条件と前記医療内容とをマッチングする、訪問看護システムが提供される。【０００９】  また、前記課題を解決するため、本発明によれば、業務支援ステーションが有する業務支援システムが有する記憶手段に、潜在看護師が希望する看護条件と、訪問看護ステーションに管理される、在宅患者への医療内容と、を記憶するステップと、前記業務支援システムが有するマッチング手段が、前記記憶手段に記憶された前記看護条件と前記医療内容とをマッチングするステップと、を備える、訪問看護方法が提供される。
【発明の効果】
【００１０】  本発明によれば、在宅医療を欲している患者のニーズを満たしつつ、潜在看護師の労働意欲も満たすことが可能となる。
【図面の簡単な説明】
【００１１】
【図１】本発明の実施形態に係る訪問看護システム１の構成図である。
【図２】本発明の実施形態に係るサーバ４の構成図である。
【図３】本発明の実施形態に係る第一の動作を示す図である。
【図４】本発明の実施形態に係る第二の動作を示す図である。
【発明を実施するための形態】
【００１２】  以下、本発明の実施形態に係る訪問看護システムを、図面を参照して詳細に説明する。
［構成の説明］
図１は、本発明の実施形態の係る訪問看護システムの構成図である。図１に示す通り、訪問看護システム１は、訪問看護ステーション２、業務支援ステーション３、サーバ４及び端末５を含む。サーバ４は、設置場所を問わない。
【００１３】  業務支援ステーション３は、業務支援システム７を訪問看護ステーション２に提供する。この業務支援システムは、所定のプログラムをサーバ４へインストールすることにより、実現される。そのプログラムは、業務支援ステーション３が所有している。一方、サーバ４は、業務支援ステーション３が所有していなくてもよい。
【００１４】  図２は、図１のサーバ４の詳細を示す構成図である。図２に示す通り、サーバ４はマッチング手段８、報酬通知手段９、看護報酬通知手段１０、紹介手段１１及び記憶手段１２を備える。記憶手段１２はさらに、患者データベース１３、潜在看護師データベース１４、その他データベース１５を備える。これらの手段は、前記プログラムをサーバ４にインストールすることにより、その機能を発揮する。
【００１５】  訪問看護ステーション２は、潜在看護師が希望する看護条件及び在宅患者への医療内容等、潜在看護師と在宅患者に関する情報を管理する。端末５は、潜在看護師が有する。端末５は、通信機能を有する端末であって、典型的にはスマートフォン、タブレット等である。
【００１６】  潜在看護師が希望する看護条件には、始業時間、終業時間等の就業時間、看護の具体的内容、報酬、在宅患者の在住する地理的範囲、移動手段等が含まれる。その看護条件は、典型的には、潜在看護師が有する端末５に、潜在看護師により入力される。入力された看護条件は、通信回線６を経由してサーバ４に送信され、記憶手段１２により潜在看護師データベース１４に記憶される。
【００１７】  在宅患者への医療内容には、医師により診療された医療内容であって、その在宅患者が患う疾患の内容、必要な医療行為の内容が含まれる。また、その医療内容には、その患者の在宅場所、その患者が希望する訪問看護時間等の情報が含まれる。この医療内容は、患者データベース１３に記憶されている。
【００１８】  マッチング手段８は、潜在看護師データベース１４に記憶された、潜在看護師が希望する看護条件と、患者データベース１３に記憶された、在宅患者の医療内容をマッチングする。そのマッチング結果は、サーバ４から通信回線６を経由して端末５に送信され、潜在看護師の閲覧または縦覧に供される。
【００１９】  紹介手段１１は、潜在看護師データベース１４に記憶された潜在看護師を、訪問看護ステーション２に紹介する。報酬通知手段９は、マッチングに係る報酬を業務支援ステーション３に通知する。この報酬には、マッチング報酬が含まれる。
【００２０】  マッチング報酬とは、マッチング手段８により、潜在看護師が希望する看護条件と在宅患者への医療内容のマッチングを実現したことによる報酬をいう。この報酬は、業務支援ステーション３が訪問看護ステーション２から受ける報酬である。
【００２１】  マッチングに係る報酬とは、前記マッチング報酬を含むほか、紹介手段１１により潜在看護師を訪問看護ステーション２に紹介したことによる紹介報酬、その他潜在看護師と在宅患者とのマッチングに係り発生した全ての仕事に関する報酬を含む報酬をいう。この報酬も、業務支援ステーション３が訪問看護ステーション２から受ける報酬である。
【００２２】  看護報酬通知手段１０は、マッチング手段８によりマッチングした在宅患者を潜在看護師が看護した看護報酬を、その潜在看護師に通知する。この報酬は、潜在看護師が訪問看護ステーション２から受ける報酬である。
【００２３】  前記報酬とは、典型的には金銭的報酬であるが、他の報酬でもよく、特に形態を問わない。
【００２４】  ［第一の動作の説明］
以下、本発明の実施形態に係る訪問看護システムの第一の動作を詳細に説明する。
【００２５】  業務支援ステーション３は、業務支援システム７に係るプログラムをサーバ４にインストールし、サーバ４が業務支援システム７として使用可能な状態にする。また、業務支援ステーション３は、訪問看護ステーション２及び潜在看護師が有する端末５に、サーバ４へアクセスするためのＩＤ及びパスワード（以下「Ｐｗｄ」と記載する）をそれぞれ交付する。
【００２６】  訪問看護ステーション２は、交付されたＩＤ及びＰｗｄを用いてサーバ４へログインする。訪問看護ステーション２は、サーバ４にログインすることにより、患者データベース１３に記憶された在宅患者への医療内容を閲覧することができる。
【００２７】  業務支援ステーション３は、患者データベース１３に記憶された在宅患者への医療内容を、紹介手段１１により潜在看護師へ紹介する。
【００２８】  潜在看護師は、交付されたＩＤ及びＰｗｄを用いて端末５からサーバ４へログインし、業務支援ステーション３から紹介された在宅患者の医療内容を、自身の端末５により閲覧することができる。潜在看護師は、マッチング手段８を動作させる旨の情報をサーバ４に送り、その結果自身が希望する看護条件にマッチングする医療内容を見出した場合、その在宅患者を看護する旨の意思決定を端末５から入力する。入力された意思決定結果はサーバ４に送信され、訪問看護ステーション２はその結果を受信する。なお、潜在看護師は、マッチング手段８によらずに、自身が希望する看護条件にマッチングする医療内容を目視で探してもよい。
【００２９】  潜在看護師は、訪問看護ステーションとの間に雇用契約が無ければ、まず雇用契約を締結する。その雇用契約の存在のもと、その潜在看護師は、その医療内容に基づき在宅患者を訪問し、看護を実施する。潜在看護師は、看護を終了次第、看護の内容を自身の端末５から入力し、サーバ４へ送信する。その看護の内容を受信したサーバ４は、記憶手段１２によりその内容を患者データベース１３に、追加の情報として記憶させる。潜在看護師は、看護の内容をサーバ４へ送信終了次第、訪問看護ステーション２に寄らずに帰宅することができる。
【００３０】  サーバ４は、潜在看護師が在宅患者へ施した看護の内容を受信すると、その内容を患者データベース１３、潜在看護師データベース１４に記憶するほか、看護に要した時間を計算する。報酬通知手段９は、潜在看護師が希望する看護条件と在宅患者への医療内容のマッチングを実現したことによるマッチング報酬、潜在看護師を訪問看護ステーション２に紹介したことによる紹介報酬、及び潜在看護師が在宅患者へ施した看護の内容、看護に要した時間に基づく報酬を、業務支援ステーション３に通知する。
【００３１】  また、看護報酬通知手段１０は、看護を行った潜在看護師が有する端末５に、潜在看護師が在宅患者へ施した看護の内容、看護に要した時間に基づく報酬を通知する。
【００３２】  以上の動作により、潜在看護師はフルタイムで勤務することなく、自身が希望する看護時間、看護地域、看護内容等の看護条件で看護を行うことができ、且つその報酬を受けることができる。また、在宅看護を希望するにもかかわらず、看護師不足により看護が受けられない在宅患者の数を、軽減することができる。
【００３３】  また、看護師の派遣は労働派遣法により禁止されている事項であるが、以上の動作により、業務支援ステーション３は、形式的には看護師の派遣という形を取らずに、実質的に潜在看護師を在宅患者のもとに派遣することができ、且つ潜在看護師の紹介から看護終了までの一連の役務の手配に係る労務に関し、訪問看護ステーション２から報酬を受けることができる。
【００３４】  ［第二の動作の説明］
以下、本発明の実施形態に係る訪問看護システムの第二の動作を詳細に説明する。
【００３５】  業務支援ステーション３は、業務支援システム７に係るプログラムをサーバ４にインストールし、サーバ４が業務支援システム７として使用可能な状態にする。また、業務支援ステーション３は、訪問看護ステーション２及び潜在看護師が有する端末５に、サーバ４へアクセスするためのＩＤ及びＰｗｄをそれぞれ交付する。
【００３６】  潜在看護師は、交付されたＩＤ及びＰｗｄを用いて端末５からサーバ４へログインし、自身が希望する看護条件を端末５から入力する。この看護条件には、始業時間、終業時間等の就業時間、看護の具体的内容、報酬、在宅患者の在住する地理的範囲、移動手段等が含まれる。この看護条件は、通信回線６を通じてサーバ４へ送信される。記憶手段１２は、受信した看護条件を潜在看護師データベース１４に記憶させる。
【００３７】  業務支援ステーション３は、潜在看護師データベース１４に記憶された潜在看護師及びその潜在看護師が希望する看護条件を、紹介手段１１により訪問看護ステーション２に紹介する。この潜在看護師及びこの看護条件には、新着の潜在看護師等の情報が含まれる。
【００３８】  訪問看護ステーション２は、交付されたＩＤ及びＰｗｄを用いてサーバ４へログインする。訪問看護ステーション２は、サーバ４にログインすることにより、業務支援ステーション３から紹介された潜在看護師の情報を閲覧できるほか、潜在看護師データベース１４に記憶されている潜在看護師の一覧を閲覧することができる。また、患者データベース１３に記憶された在宅患者への医療内容も閲覧することができる。
【００３９】  訪問看護ステーション２は、マッチング手段８により、潜在看護師データベース１４に記憶されている潜在看護師と、患者データベース１３に記憶された在宅患者への医療内容をマッチングする。マッチングが成立した場合、その旨及びその医療内容を、潜在看護師が有する端末５へ送信する。
【００４０】  マッチング成立の情報を端末５で受信した潜在看護師は、その在宅患者を看護するか否かを意思決定し、その旨を端末５から入力する。入力された意思決定結果はサーバ４に送信され、訪問看護ステーション２はその結果を受信する。
【００４１】  潜在看護師が、その在宅患者を看護するとの意思決定をした場合、その潜在看護師と訪問看護ステーションとの間に雇用契約が無ければ、まず雇用契約を締結する。その雇用契約の存在のもと、その潜在看護師は、その医療内容に基づき在宅患者を訪問し、看護を実施する。潜在看護師は、看護を終了次第、看護の内容を自身の端末５から入力し、サーバ４へ送信する。その看護の内容を受信したサーバ４は、記憶手段１２によりその内容を患者データベース１３に、追加の情報として記憶させる。潜在看護師は、看護の内容をサーバ４へ送信終了次第、訪問看護ステーション２に寄らずに帰宅することができる。
【００４２】  サーバ４は、潜在看護師が在宅患者へ施した看護の内容を受信すると、その内容を患者データベース１３、潜在看護師データベース１４に記憶するほか、看護に要した時間を計算する。報酬通知手段９は、潜在看護師が希望する看護条件と在宅患者への医療内容のマッチングを実現したことによるマッチング報酬、潜在看護師を訪問看護ステーション２に紹介したことによる紹介報酬、及び潜在看護師が在宅患者へ施した看護の内容、看護に要した時間に基づく報酬を、業務支援ステーション３に通知する。
【００４３】  また、看護報酬通知手段１０は、看護を行った潜在看護師が有する端末５に、潜在看護師が在宅患者へ施した看護の内容、看護に要した時間に基づく報酬を通知する。
【００４４】  以上の動作により、潜在看護師はフルタイムで勤務することなく、自身が希望する看護時間、看護地域、看護内容等の看護条件で看護を行うことができ、且つその報酬を受けることができる。また、在宅看護を希望するにもかかわらず、看護師不足により看護が受けられない在宅患者の数を、軽減することができる。
【００４５】  また、看護師の派遣は労働派遣法により禁止されている事項であるが、以上の動作により、業務支援ステーション３は、形式的には看護師の派遣という形を取らずに、実質的に潜在看護師を在宅患者のもとに派遣することができ、且つ潜在看護師の紹介から看護終了までの一連の役務の手配に係る労務に関し、訪問看護ステーション２から報酬を受けることができる。
【符号の説明】
【００４６】１  訪問看護システム
２  訪問看護ステーション
３  業務支援ステーション
４  サーバ
５  端末
６  通信回線
７  業務支援システム
８  マッチング手段
９  報酬通知手段
１０  看護報酬通知手段
１１  紹介手段
１２  記憶手段
１３  患者データベース
１４  潜在看護師データベース
１５  その他データベース
【図１】
2018045668.tif 000003
【図２】
2018045668.tif 000004
【図３】
2018045668.tif 000005
【図４】
2018045668.tif 000006
【手続補正書】
【提出日】平成29年5月6日(2017.5.6)
【手続補正１】
【補正対象書類名】特許請求の範囲
【補正対象項目名】全文
【補正方法】変更
【補正の内容】
【特許請求の範囲】
【請求項１】
訪問看護システムであって、
前記訪問看護システムは、業務支援ステーションが有する業務支援システムを含み、
前記業務支援システムは、記憶手段及びマッチング手段を有し、
前記記憶手段及び前記マッチング手段は、サーバに備えられ、
前記記憶手段は、
潜在看護師が希望する看護条件と、
訪問看護ステーションに管理される、在宅患者への医療内容と、
を記憶し、
前記マッチング手段は、前記看護条件と前記医療内容とをマッチングし、
前記サーバは、前記看護条件と前記医療内容とのマッチングに係る報酬を、前記業務支援ステーションに通知する報酬通知手段を備え、
前記マッチングに係る報酬は、前記業務支援ステーションが前記訪問看護ステーションから受ける報酬である、
訪問看護システム。
【請求項２】
前記マッチング手段は、前記訪問看護ステーションからのマッチング要求を受け、前記看護条件と前記医療内容とをマッチングする、請求項１に記載の訪問看護システム。
【請求項３】
前記マッチング手段は、前記潜在看護師からのマッチング要求を受け、前記看護条件と前記医療内容とをマッチングする、請求項１に記載の訪問看護システム。
【請求項４】
前記マッチングに係る報酬は、前記マッチング手段によるマッチング報酬を含む、請求項１から３の何れか一項に記載の訪問看護システム。
【請求項５】
前記サーバは、看護報酬を前記潜在看護師に通知する看護報酬通知手段をさらに備え、
前記看護報酬は、前記マッチング手段によりマッチングした前記在宅患者を前記潜在看護師が看護した報酬であり、且つ前記訪問看護ステーションにより管理される、請求項１から４の何れか一項に記載の訪問看護システム。
【請求項６】
前記サーバは、前記潜在看護師を前記訪問看護ステーションに紹介する紹介手段をさらに備え、
前記マッチングに係る報酬は、前記紹介手段による紹介報酬をさらに含む、
請求項１から５の何れか一項に記載の訪問看護システム。
【請求項７】
前記看護条件は、前記潜在看護師が勤務する就業時間を含む、請求項１から６の何れか一項に記載の訪問看護システム。
【請求項８】
前記潜在看護師は、前記看護条件を入力するための端末を有し、
前記マッチング手段によるマッチング結果は、前記サーバから通信回線を経由して前記端末へ送信される、請求項１から７の何れか一項に記載の訪問看護システム。
【請求項９】
前記看護条件は、前記端末から通信回線を経由して前記サーバへ送信され、前記記憶手段により前記サーバに記憶される、請求項８に記載の訪問看護システム。
【請求項１０】
前記潜在看護師は、前記看護条件を入力するための端末を有し、
前記医療内容は、前記端末へ送信され、
前記医療内容と前記看護条件がマッチングした場合、その旨が前記端末から通信回線を経由して前記サーバへ送信される、請求項１から７の何れか一項に記載の訪問看護システム。
【請求項１１】
業務支援ステーションが有する業務支援システムが有する記憶手段に、
潜在看護師が希望する看護条件と、
訪問看護ステーションに管理される、在宅患者への医療内容と、
を記憶するステップと、
前記業務支援システムが有するマッチング手段が、前記記憶手段に記憶された前記看護条件と前記医療内容とをマッチングするステップと、
報酬通知手段が、前記看護条件と前記医療内容とのマッチングに係る報酬を、前記業務支援ステーションに通知するステップと、
を備え、
前記マッチングに係る報酬は、前記業務支援ステーションが前記訪問看護ステーションから受ける報酬である、
訪問看護方法。
【請求項１２】
前記記憶手段に記憶された前記看護条件と前記医療内容とをマッチングするステップは、前記マッチング手段が、前記訪問看護ステーションからのマッチング要求を受け、前記記憶手段に記憶された前記看護条件と前記医療内容とをマッチングするステップである、請求項１１に記載の訪問看護方法。
【請求項１３】
前記記憶手段に記憶された前記看護条件と前記医療内容とをマッチングするステップは、前記マッチング手段が、前記潜在看護師からのマッチング要求を受け、前記記憶手段に記憶された前記看護条件と前記医療内容とをマッチングするステップである、請求項１１に記載の訪問看護方法。
【手続補正２】
【補正対象書類名】明細書
【補正対象項目名】０００８
【補正方法】変更
【補正の内容】
【０００８】  前記課題を解決するため、本発明によれば、訪問看護システムであって、前記訪問看護システムは、業務支援ステーションが有する業務支援システムを含み、前記業務支援システムは、記憶手段及びマッチング手段を有し、前記記憶手段及び前記マッチング手段はサーバに備えられ、前記記憶手段は、潜在看護師が希望する看護条件と、訪問看護ステーションに管理される、在宅患者への医療内容とを記憶し、前記マッチング手段は、前記看護条件と前記医療内容とをマッチングし、前記サーバは、前記看護条件と前記医療内容とのマッチングに係る報酬を、前記業務支援ステーションに通知する報酬通知手段を備え、前記マッチングに係る報酬は、前記業務支援ステーションが前記訪問看護ステーションから受ける報酬である、訪問看護システムが提供される。
【手続補正３】
【補正対象書類名】明細書
【補正対象項目名】０００９
【補正方法】変更
【補正の内容】
【０００９】  また、前記課題を解決するため、本発明によれば、業務支援ステーションが有する業務支援システムが有する記憶手段に、潜在看護師が希望する看護条件と、訪問看護ステーションに管理される、在宅患者への医療内容と、を記憶するステップと、前記業務支援システムが有するマッチング手段が、前記記憶手段に記憶された前記看護条件と前記医療内容とをマッチングするステップと、報酬通知手段が、前記看護条件と前記医療内容とのマッチングに係る報酬を、前記業務支援ステーションに通知するステップと、を備え、前記マッチングに係る報酬は、前記業務支援ステーションが前記訪問看護ステーションから受ける報酬である、訪問看護方法が提供される。
【手続補正書】
【提出日】平成29年11月18日(2017.11.18)
【手続補正１】
【補正対象書類名】特許請求の範囲
【補正対象項目名】全文
【補正方法】変更
【補正の内容】
【特許請求の範囲】
【請求項１】
訪問看護システムであって、
前記訪問看護システムは、業務支援ステーションが有する業務支援システムを含み、
前記業務支援システムは、記憶手段及びマッチング手段を有し、
前記記憶手段及び前記マッチング手段は、サーバに備えられ、
前記記憶手段は、
潜在看護師が希望する看護条件と、
訪問看護ステーションに管理される、在宅患者への医療内容と、
を記憶し、
前記マッチング手段は、前記訪問看護ステーションからのマッチング要求を受け、前記看護条件と前記医療内容とをマッチングし、
前記サーバは、前記看護条件と前記医療内容とのマッチングに係る報酬を、前記業務支援ステーションに通知する報酬通知手段を備え、
前記マッチングに係る報酬は、前記業務支援ステーションが前記訪問看護ステーションから受ける報酬であり、
前記サーバは、前記訪問看護ステーションが前記マッチング要求を行うための前記潜在看護師を、前記業務支援ステーションから前記訪問看護ステーションに紹介する紹介手段をさらに備える、
訪問看護システム。
【請求項２】
前記看護条件は、前記潜在看護師が勤務する就業時間を含む、請求項１に記載の訪問看護システム。
【請求項３】
前記潜在看護師は、前記看護条件を入力するための端末を有し、
前記マッチング手段によるマッチング結果は、前記サーバから通信回線を経由して前記端末へ送信される、請求項１または２に記載の訪問看護システム。
【請求項４】
前記看護条件は、前記端末から通信回線を経由して前記サーバへ送信され、前記記憶手段により前記サーバに記憶される、請求項３に記載の訪問看護システム。
【請求項５】
前記潜在看護師は、前記看護条件を入力するための端末を有し、
前記医療内容は、前記端末へ送信され、
前記医療内容と前記看護条件がマッチングした場合、その旨が前記端末から通信回線を経由して前記サーバへ送信される、請求項１または２に記載の訪問看護システム。
【請求項６】
業務支援ステーションが有する業務支援システムが有する記憶手段に、
訪問看護ステーションがマッチング要求を行うための潜在看護師であって、前記業務支援ステーションから紹介される前記潜在看護師が希望する看護条件と、
前記訪問看護ステーションに管理される、在宅患者への医療内容と、
を記憶するステップと、
前記業務支援システムが有するマッチング手段が、前記訪問看護ステーションからのマッチング要求を受け、前記記憶手段に記憶された前記看護条件と前記医療内容とをマッチングするステップと、
報酬通知手段が、前記看護条件と前記医療内容とのマッチングに係る報酬を、前記業務支援ステーションに通知するステップと、
を備え、
前記マッチングに係る報酬は、前記業務支援ステーションが前記訪問看護ステーションから受ける報酬である、
訪問看護方法。
【手続補正２】
【補正対象書類名】明細書
【補正対象項目名】０００８
【補正方法】変更
【補正の内容】
【０００８】上記課題を解決するため、本発明によれば、訪問看護システムであって、訪問看護システムは、業務支援ステーションが有する業務支援システムを含み、業務支援システムは、記憶手段及びマッチング手段を有し、記憶手段及びマッチング手段はサーバに備えられ、記憶手段は、潜在看護師が希望する看護条件と、訪問看護ステーションに管理される、在宅患者への医療内容とを記憶し、マッチング手段は、訪問看護ステーションからのマッチング要求を受け、看護条件と医療内容とをマッチングし、サーバは、看護条件と医療内容とのマッチングに係る報酬を、業務支援ステーションに通知する報酬通知手段を備え、マッチングに係る報酬は、業務支援ステーションが訪問看護ステーションから受ける報酬であり、サーバは、訪問看護ステーションがマッチング要求を行うための潜在看護師を、業務支援ステーションから訪問看護ステーションに紹介する紹介手段をさらに備える、訪問看護システムが提供される。
【手続補正３】
【補正対象書類名】明細書
【補正対象項目名】０００９
【補正方法】変更
【補正の内容】
【０００９】  また、上記課題を解決するため、本発明によれば、業務支援ステーションが有する業務支援システムが有する記憶手段に、訪問看護ステーションがマッチング要求を行うための潜在看護師であって、業務支援ステーションから紹介される潜在看護師が希望する看護条件と、訪問看護ステーションに管理される、在宅患者への医療内容と、を記憶するステップと、業務支援システムが有するマッチング手段が、記憶手段に記憶された看護条件と医療内容とをマッチングするステップと、報酬通知手段が、看護条件と医療内容とのマッチングに係る報酬を、業務支援ステーションに通知するステップと、を備え、マッチングに係る報酬は、業務支援ステーションが訪問看護ステーションから受ける報酬である、訪問看護方法が提供される。